(57)【要約】【課題】植木の根に植物繊維製プランターの壁からも栄養が充分に供給され、かつ植物繊維製プランターの壁厚を見かけ上分厚いものとなし得ると共に、プランターの全体重量を安定感のある比較的重い重量となすことができる植物繊維製プランターを提供する。【解決手段】椰子殻繊維、麻繊維等の植物繊維製シートで内外壁部を一体的に成形してなる中空壁部からなる植物繊維製プランターにおいて、同中空壁部内に植物培養土を充填してなる。同中空壁部内に植物培養土と植物繊維屑を充填してもよい。プランターの凹部の上方の天井部を植物繊維製シート蓋で覆い、かつ同植物繊維製シート蓋に植木の芽又は茎部が通り抜ける切り込みを設けてもよい。【選択図】    図１
2004344005.tif 000002
【特許請求の範囲】
【請求項１】
椰子殻繊維、麻繊維等の植物繊維製シートで内外壁部を成形してなる中空壁部からなる植物繊維製プランターにおいて、同中空壁部内に植物生育用充填材を充填してなることを特徴とする植物繊維製プランター。
【請求項２】
椰子殻繊維、麻繊維等の植物繊維製シートで内外壁部を成形してなる中空壁部からなる植物繊維製プランターにおいて、同中空壁部内に植物培養土を充填してなることを特徴とする植物繊維製プランター。
【請求項３】
中空壁部内に植物繊維屑を充填してなることを特徴とする請求項１又は２に記載の植物繊維製プランター。
【請求項４】
植物繊維製プランターの底部に、その下端周縁部を接合面として植物繊維製シート底板を接合してなることを特徴とする請求項１〜３のいずれか１項に記載の植物繊維製プランター。
【請求項５】
植物繊維製プランターの凹部の上方の天井部を植物繊維製シート蓋で覆い、かつ同植物繊維製シート蓋に植木の芽又は茎部が通り抜ける切り込みを設けてなることを特徴とする請求項１〜４のいずれか１項に記載の植物繊維製プランター。
【請求項６】
植物繊維製シートが、多数の椰子の乾燥長繊維を所々接着剤で点接して製造されてなるものであることを特徴とする請求項１〜５のいずれか１項に記載の植物繊維製プランター。
【請求項７】
植物繊維製プランターに多数個の凹部を設けてなることを特徴とする請求項１〜６のいずれか１項に記載の植物繊維製プランター。
【請求項８】
植物繊維製シートが緑色に着色されてなることを特徴とする請求項１〜７のいずれか１項に記載の植物繊維製プランター。
【請求項９】
椰子殻繊維、麻繊維等の植物繊維製シートを金型上で成形して、底面のない断面凹型の二重壁構造の容器状成形体となし、次いでその二重壁内中空部に植物培養土を充填し、しかる後植物繊維シート製の底板をその外周部を前記二重壁の外側の壁の下端周縁面に定着することにより前記容器状成形体の下面を封止することを特徴とする繊維製プランターの製造方法。
【請求項１０】
二重壁内中空部に植物培養土と植物繊維屑を充填することを特徴とする請求項９に記載の植物繊維製プランターの製造方法。
【請求項１１】
椰子殻繊維、麻繊維等の植物繊維製シートを金型上で成形して、蓋なしの淺底容器状成形体と、同淺底容器状成形体内に収容される小型の蓋なしの淺底容器状成形体を製造する工程と、
次いで前記淺底容器状成形体内に底部を上方にして小型淺底容器状成形体を投入し、淺底容器状成形体の内側底面に小型淺底容器状成形体の上端周縁部を定着する工程と、
前記淺底容器状成形体と小型淺底容器状成形体と間の隙間及び小型淺底容器状成形体の底面と淺底容器状成形体の上端周縁部までの深さ部分に植物培養土を充填する工程と、
前記淺底容器状成形体の上端周縁部に植物繊維シート製の底板の外周部を定着する工程とよりなることを特徴とする繊維製プランターの製造方法。
【請求項１２】
淺底容器状成形体の底面壁に、植木の芽又は茎部が通り抜ける切り込みを設ける工程を含むことを特徴とする請求項１１に記載の植物繊維製プランターの製造方法。
【発明の詳細な説明】
【０００１】
【発明の属する技術分野】本発明は、植物繊維製プランターに関し、特にプランター本体を椰子殻繊維等で製造された植物繊維製シートを用いて成形して得られるプランター及びその製造方法に関する。
【０００２】
【従来の技術】従来、（１）おが屑、カンナ屑、わら屑、枯草、紙屑、木綿屑等のセルロール質のチップ又は粉状体をポリエチレン、ポリプロピレン等の熱可塑性樹脂又はエポキシ樹脂、ポリエステル樹脂、アクリル樹脂等の熱硬化性樹脂等の樹脂バインダで結合して鉢本体を形成してなる植物繊維製プランター（植木鉢）や、（２）繊維パルプに、強度を増加するために合成繊維あるいは合成パルプを混合し叩解して得られた紙料で製造した育苗鉢が知られている。
これらは、土中において細菌類により腐食・崩壊するので自然を汚染又は破壊する危険がない好適なものである。
【０００３】
【発明が解決しようとする課題】しかしながら前記従来のプランター又は育苗鉢は、鉢本体がそれら植物繊維やパルプで製造されるため、厚みの大きな鉢を製造するには多量の植物繊維やパルプを必要とし、かつ製造に長時間を要した。
【０００４】
【課題を解決するための手段】本発明は、前記従来技術の課題を解決するものであって、下記構成の植物繊維製プランターである。
（１）  椰子殻繊維、麻繊維等の植物繊維製シートで内外壁部を成形してなる中空壁部からなる植物繊維製プランターにおいて、同中空壁部内に植物生育用充填材を充填してなることを特徴とする植物繊維製プランター。
（２）  椰子殻繊維、麻繊維等の植物繊維製シートで内外壁部を成形してなる中空壁部からなる植物繊維製プランターにおいて、同中空壁部内に植物培養土を充填してなることを特徴とする植物繊維製プランター。
（３）  中空壁部内に植物繊維屑を充填してなることを特徴とする前項（１）又は（２）に記載の植物繊維製プランター。
（４）  植物繊維製プランターの底部に、その下端周縁部を接合面として植物繊維製シート底板を接合してなることを特徴とする前項（１）〜（３）のいずれか１項に記載の植物繊維製プランター。
（５）  植物繊維製プランターの凹部の上方の天井部を植物繊維製シート蓋で覆い、かつ同植物繊維製シート蓋に植木の芽又は茎部が通り抜ける切り込みを設けてなることを特徴とする前項（１）〜（４）のいずれか１項に記載の植物繊維製プランター。
【０００５】
（６）  植物繊維製シートが、多数の椰子の乾燥長繊維を所々接着剤で点接して製造されてなるものであることを特徴とする前項（１）〜（５）のいずれか１項に記載の植物繊維製プランター。
（７）  植物繊維製プランターに多数個の凹部を設けてなることを特徴とする前項（１）〜（６）のいずれか１項に記載の植物繊維製プランター。
（８）  植物繊維製シートが緑色、茶色、黒色等に着色されてなることを特徴とする前項（１）〜（７）のいずれか１項に記載の植物繊維製プランター。
（９）  椰子殻繊維、麻繊維等の植物繊維製シートを金型上で成形して、底面のない断面凹型の二重壁構造の容器状成形体となし、次いでその二重壁内中空部に植物培養土を充填し、しかる後植物繊維シート製の底板をその外周部を前記二重壁の外側の壁の下端周縁面に定着することにより前記容器状成形体の下面を封止することを特徴とする繊維製プランターの製造方法。
（１０）  二重壁内中空部に植物培養土と植物繊維屑を充填することを特徴とする前項（９）に記載の植物繊維製プランターの製造方法。
【０００６】
（１１）  椰子殻繊維、麻繊維等の植物繊維製シートを金型上で成形して、蓋なしの淺底容器状成形体と、同淺底容器状成形体内に収容される小型の淺底容器状成形体を製造する工程と、
次いで前記淺底容器状成形体内に底部を上方にして小型淺底容器状成形体を投入し、淺底容器状成形体の内側底面に小型淺底容器状成形体の上端周縁部を定着する工程と、
前記淺底容器状成形体と小型淺底容器状成形体と間の隙間及び小型淺底容器状成形体の底面と淺底容器状成形体の上端周縁部までの深さ部分に植物培養土を充填する工程と、
前記淺底容器状成形体の上端周縁部に植物繊維シート製の底板の外周部を定着する工程とよりなることを特徴とする繊維製プランターの製造方法。
（１２）  淺底容器状成形体の底面壁に、植木の芽又は茎部が通り抜ける切り込みを設ける工程を含むことを特徴とする前項（１１）に記載の植物繊維製プランターの製造方法。
【０００７】
【発明の実施の形態】本発明の実施の形態を図面に基づいて説明する。
図１は本発明実施例の植物繊維製プランターの断面図を示し、（ａ）図及び（ｂ）図は蓋部のない普通のタイプのもの、（ｃ）図は蓋部を備えたタイプのものを示す。
図２は蓋部のない長方形のポットタイプのものの斜視図、図３は多数の植木植栽用の凹部を備えたプランターの斜視図で、（ａ）図は蓋部のないプランターの斜視図、（ｂ）図は蓋部を備えたプランターの斜視図を示す。
図４は図１（ｂ）図に示す蓋部を備えたプランターを製造する工程を説明する斜視説明図である。また、図５は底部に水を貯留した専用トレイに多数個の植木植栽用の凹部を備えたプランターを載置した状態の断面図である。さらに、図６は本発明実施例で使用される植物繊維製シートを製造するための原材料の植物繊維製縄束の製造工程説明図、図７は植物繊維製縄束から本発明実施例で使用される植物繊維製シートを製造する製造工程説明図である。
【０００８】
本発明で提供される植物繊維製プランターは、図１〜図５に示すもので、図１に示すごとく、基本的に２種のタイプがある。すなわち、上方が開放の（ａ）、（ｂ）図のものと、上面が閉鎖されている（ｃ）図に示すものである。なお、（ｃ）図に示すものは、内外中空壁部２’が、上部周縁内側に断面∩形状の二重壁部を有する成形体２ａと淺底容器状成形体２ｂの組合せで構成されており、断面∩形状の二重壁部を有する成形体２ａの上部周縁内側部と淺底容器状成形体２ｂとは、上方の接触部において接着剤で接合されている。
図中、１は植物生育用充填材としての植物培養土、２、２’は内外中空壁部、３は植物繊維製シート底板、４は中空壁又は二重壁内の中空部、５は鉢内の植物生育用の充填材、植物培養土が充填される空部、６は蓋部、７は切り込み、８は蓋なしの淺底容器状成形体、９は小型の淺底容器状成形体、１０ａは上方が開放の植物繊維製プランター、１０ｂは上面が閉鎖されている植物繊維製プランターである。
いずれの植物繊維製プランター（１０ａ，１０ｂ）においても、中央の空部５には植物生育用充填材、植物培養土が充填され、そこに植生される植物の根部が埋設されるものである。
なお、植物生育用充填材としては、植物培養土（例えば肥料成分を含む土壌）のほか、単に保水性を有する木屑や砂、その他機能性を有するコーヒー出殻、茶出殻、炭、廃棄畳藁破砕物、高吸水性樹脂等を採用することもできる。
【０００９】
まず、本発明の植物繊維製プランター（椰子殻繊維製プランターの場合）の製造に使用される椰子殻植物繊維シート及びそれを製造するための椰子殻植物繊維製縄束の製造は、図６及び図７に示すごとくして製造される。
すなわち、図６に椰子殻植物繊維製シートを製造するための原材料の椰子殻植物繊維製縄束の製造工程説明図を示すごとく、ココナツ椰子１１から油１２及び殻１３を取り除いた後の繊維を含む果肉部１４をクラッシャー１５に投入して叩解して繊維のみを取り出し、それを縄ない機（ツイストマシン）１６にかけて、縄（ロープ）１７をつくり、縄束１８とする。
次に図７に示すごとく、縄束１８を解繊機１９にかけて縄束１８から繊維を解し、貯毛室２０に椰子殻繊維２１を送出する。さらに貯毛室２０から椰子殻繊維２１を供給コントロールタワー２２に送り、それからシートフォーミングマシン２３に送ってシート状の厚みにし、次いでニードルマシン２４に送って多数の針（ニードル）２５を差し込んで繊維を絡ませ多数の孔を開ける。その後、幅スリッター２６にかけてシートの幅を一定にし、スプレー２７にて表面から接着剤（バインダ）を含浸させ、椰子殻繊維２１を主に点接触で接着し、乾燥炉２８に入れて１００〜１３０℃にて乾燥させ、次工程で裏面からも接着剤をスプレーで含浸させ、再度乾燥炉２８を通し、エンドレスのバインダ含浸シートを造る。なお、乾燥炉２８内においてもスプレー２７’からバインダを噴射により供給する。最後に、乾燥炉２８から取り出されたシートを切断機２９で一定サイズにカットして定尺のバインダ含浸椰子殻繊維製シート３０が製造される。
【００１０】
以上のようにして得られた椰子殻繊維製シート３０を金型を用いて加熱、加圧成形して前記本発明実施例の植物繊維製プランター１０ａ，１０ｂの内外中空壁部２、２’、蓋部６、蓋なしの淺底容器状成形体８、小型の淺底容器状成形体９を製造するのである。
【００１１】
上記のごとくして製造された植物繊維製プランター１０ａの図２に示すものは蓋部のない長方形のポットタイプのものの斜視図であり、図３は多数の植木植栽用の凹部を備えた鉢の斜視図である。
図４は図１（ｂ）図に示すタイプの蓋部を備えた鉢を製造する工程を説明する斜視説明図であるが、まず、植物繊維製プランター１０ａを製造し、それの上部に蓋部を載せて周囲を接着することにより蓋部を有する植物繊維製プランター１０ｂを製造する例を示している。
また、図５は底部に補給水４１を貯留した専用トレイ４０に多数個の植木植栽用の空部５を備えた鉢１０ａを載置した状態の断面図であり、専用トレイ４０から補給水４１が植物繊維製底板３を通過して植物繊維製プランター１０ａに供給されるので、相当の期間にわたって植木に給水ができる。
【００１２】
なお、本発明において使用される好適な植物繊維材料としては、椰子、芭蕉、麻、ケナフ、水苔等の植物から機械処理で簡単に分離して得られる比較的に太径の長繊維のものが使用される。
椰子殻繊維製シートの製造は、乾燥した椰子殻繊維を混ぜ合わせて多数の繊維を縦横に絡ませて厚網状にし、それに例えばデンプン、膠、漆、ラテックス等の天然樹脂系接着剤、酢酸ビニル系樹脂、塩化ビニル系樹脂、ＳＢＲ系樹脂等の合成樹脂系接着剤を含浸又は吹き付けて繊維相互間を点状に接着することにより行われ、得られた植物繊維製シートは金型で加熱・加圧（例えば１５０℃、１０ｔ，４５ｍｉｎ．）することにより自由な植物繊維製プランターの形状に成形できる。
本発明では上記において、植物繊維製プランターの中空壁部内又は断面凹型の二重壁構造の内中空部に、植物培養土１を充填するため、植木の根には土壌５０からだけでなく中空壁内の植物培養土１からも栄養が充分に供給され、かつ植物繊維製プランターの壁厚を見かけ上分厚いものとなし得ると共に、全体重量を安定感のある比較的重い重量となすことができる。
さらに、中空壁部内には植物繊維製プランター製造時に排出する植物繊維屑の他、炭、活性炭、廃棄畳藁破砕物、コーヒー出殻、茶出殻等を充填することもできるので廃棄物を放出・廃棄処理する必要がなく、かつ保水性、脱臭性等の各種機能性を付与することもできる。
【００１３】
【発明の効果】上記のごとく本発明によれば、植物繊維製プランターの中空壁部内又は断面凹型の二重壁構造の内中空部に、植物生育用充填材を充填するため、植木の根には土壌からだけでなく中空壁内の充填材からも水分、栄養等が供給され、かつ植物繊維製プランターの壁厚を見かけ上分厚いものとなし得る。
また、充填材として植物培養土等の高比重のものを採用すれば、植物繊維製プランターの全体重量を安定感のある比較的重い重量となすことができる。
さらに、中空壁部内には植物繊維製プランター製造時に排出する植物繊維屑の他、コーヒー出殻、茶出殻、炭、廃棄畳藁破砕物等を充填することもできるので廃棄物を放出・廃棄処理する必要がなく、かつ保水性、脱臭性等の機能性を付与することもできる。
【図面の簡単な説明】
【図１】本発明実施例の植物繊維製プランターの断面図
【図２】蓋部のない長方形のポットタイプの植物繊維製プランターの斜視図、
【図３】多数の植木植栽用の凹部を備えたプランターの斜視図、
【図４】蓋部を備えたプランターを製造する工程を説明する斜視説明図、
【図５】底部に水を貯留した専用トレイに多数個の植木植栽用の凹部を備えたプランターを載置した状態の断面図、
【図６】本発明実施例で使用される植物繊維製シートを製造するための原材料の植物繊維製縄束の製造工程説明図、
【図７】植物繊維製縄束から本発明実施例で使用される植物繊維製シートを製造する製造工程説明図、
【符号の説明】
１：植物培養土
２、２’：内外中空壁部
３：植物繊維製シート底板
４：中空壁又は二重壁内の中空部
５：鉢内の植物生育用の充填材、植物培養土が充填される空部
６：蓋部
７：切り込み
８：蓋なしの淺底容器状成形体
９：小型の淺底容器状成形体
１０ａ：上方が開放の植物繊維製プランター
１０ｂ：上面が閉鎖されている植物繊維製プランター
１１：ココナツ椰子
１２：油
１３：殻
１４：果肉部
１５：クラッシャー
１６：縄ない機（ツイストマシン）
１７：縄（ロープ）
１８：縄束
１９：解繊機
２０：貯毛室
２１：椰子殻繊維
２２：供給コントロールタワー
２３：シートフォーミングマシン
２４：ニードルマシン
２５：多数の針（ニードル）
２６：幅スリッター
２７、２７’：スプレー
２８：乾燥炉
２９：切断機
３０：椰子殻繊維製シート
４０：専用トレイ
４１：補給水
５０：土壌
【図１】
2004344005.tif 000003
【図２】
2004344005.tif 000004
【図３】
2004344005.tif 000005
【図４】
2004344005.tif 000006
【図５】
2004344005.tif 000007
【図６】
2004344005.tif 000008
【図７】
2004344005.tif 000009